【事件の表示】
　特許第６６１９７８０号発明「遊技機」の特許異議申立事件について、次のとおり決定する。
【結　論】
　特許第６６１９７８０号の請求項１に係る特許を維持する。
【理　由】
１　手続の経緯
　本件特許第６６１９７８０号（以下「本件特許」という。）の請求項１に係る特許についての出願は、平成２９年８月２５日に特願２０１７−１６２４３１号として特許出願されたものであって、令和１年１１月６日付けで特許査定がされるとともに令和１年１１月２２日に特許権の設定登録がされ、令和１年１２月１１日に特許掲載公報が発行された。その後令和２年６月１０日にその特許に対し、特許異議申立人である日本電動式遊技機特許株式会社より特許異議の申立てがされたものである。
　
　
２　本件特許の請求項１に係る発明
　本件特許の請求項１に係る発明（以下、「本件発明」という。）は、本件特許の特許請求の範囲の請求項１に記載された事項により特定される、次のとおりのものである（Ａ〜Ｆは、当審で付与した。）。
　
（本件発明）
「【請求項１】
Ａ　遊技を実行可能な遊技機であって、
Ｂ　特定態様に変化する所定表示を表示可能な所定表示手段と、
Ｃ　複数種類の態様のうちいずれかを所定表示の態様として決定可能な態様決定手段と、
Ｄ　所定表示が前記特定態様に変化したときに複数種類の特定演出のうちいずれかを実行可能な特定演出実行手段と、を備え、
Ｅ　前記態様決定手段は、
Ｅ１　一の所定表示の態様を決定した場合、該決定結果にもとづいて該一の所定表示とは異なる他の所定表示の態様を決定可能であり、
Ｅ２　所定表示が表示されてから前記特定態様に変化するまでの期間を所定表示の態様として決定可能であり、一の所定表示の態様よりも他の所定表示の態様の方が短い期間を決定しやすい
Ｆ　ことを特徴とする遊技機。」
　
３　特許異議申立ての理由の概要
　特許異議申立人は、特許異議申立書において、証拠方法として甲第１号証を提出し、本件発明は甲第１号証に記載の発明であり、本件特許は特許法第２９条第１項第３号の規定に違反してされたものであるから、特許法第１１３条第２号の規定に該当し、本件特許は取り消すべきものである（以下、「理由１」という。）旨を主張するとともに、本件発明は甲第１号証に記載の発明から当業者が容易に発明をすることができたものであり、本件特許は同法第２９条第２項の規定に違反してされたものであるから、特許法第１１３条第２号の規定に該当し、本件特許は取り消すべきものである（以下、「理由２」という。）旨を主張する。
　また、特許異議申立人は、特許異議申立書において、本件発明は明確でなく、本件特許は同法第３６条第２項の規定に違反してされたものであるから、特許法第１１３条第４号の規定に該当し、本件特許は取り消すべきものである（以下、「理由３」という。）旨を主張する。
（証拠方法）
甲第１号証：特開２０１６−２０２４１４号公報
４　甲第１号証に記載の発明
　これに対して、甲第１号証には、「遊技機」の発明に関し、図面と共に以下の事項が記載されている（下線は当審で付した）。
（１）「【００１１】
　図１は、ぱちんこ遊技機の前面側における基本的な構造を示す。
ぱちんこ遊技機１００
主に遊技機枠と遊技盤で構成され
・・・
【００１３】
　
遊技盤８０は
演出表示装置６０
を含む
　
（２）「【００４３】
　図３は、ぱちんこ遊技機１００の機能ブロックを示す。
ぱちんこ遊技機１００は
遊技の基本動作や遊技の進行を制御する主制御装置としてのメイン基板２００と、演出的な動作や処理を制御する副制御装置としてのサブ基板３００と
で構成され
・・・
【００８７】
　図９は、サブ基板の構成を示すブロック図である。
サブ基板３００は
演出決定手段３０３、演出制御手段３０４を備え
・・・
【００９８】
　
演出制御手段３０４は、
演出表示装置６０へ装飾図柄６１を含む演出画像を変動表示させ
（３）「【０１９２】
　つづいて、本実施例の特徴的な構成について説明する。本実施例においては、通常遊技中に実行される演出において、
当否判定の結果が大当りである期待度が高いことを示唆する期待度示唆演出のうち特定の期待度示唆演出が実行される場合、特定の期待度示唆演出の表示開始タイミングを示唆する
タイマー演出
を実行可能である
タイマー演出において、特定の期待度示唆演出の表示が開始されるまでの残り時間が表示され、残り時間がゼロになったタイミングを契機として特定の期待度示唆演出が開始され
【０１９３】
　
期待度示唆演出は
予告演出、群予告演出、ステップアップ予告演出、スーパーリーチ演出やノーマルリーチ演出などのリーチ演出、リーチ演出の終了直前などに表示されるカットイン演出、リーチ煽り演出中などに実行される背景予告演出、１回の図柄変動において擬似的に複数回の図柄変動が実行されるように見せる擬似連続変動演出など、実行された場合に当否判定の結果が大当りとなって特別遊技が実行される可能性があることが示唆されるような各種の演出である
演出決定手段３０３は
演出を決定するための抽選値に基づいて、複数の期待度示唆演出を含む複数の演出の中から実行すべき演出を決定する
タイマー演出においては、特別遊技移行期待度を示唆する期待度示唆演出の中でも相対的に期待度が高い特定の期待度示唆演出
が表示されるタイミングが示唆され
【０１９４】
　・・・
以降、
特定の期待度示唆演出も、単に「期待度示唆演出」と呼ぶ
・・・
【０１９６】
　図２６（ａ）は、図柄の変動表示の開始直後に演出表示装置６０に表示される演出画像の例を示す。演出表示装置６０には、装飾図柄５１０が変動表示されており、さらに、表示予定の期待度示唆演出が開始されるまでの残り時間を示唆する残り時間示唆情報５００、５０２が表示されている。残り時間示唆情報５００、５０２は、複数の矩形から構成されており、左側の大きい矩形は、それぞれ１０秒間に対応しており、その右側の中程度の矩形は、それぞれ５秒間に対応しており、さらに右側の小さい矩形は、それぞれ２．５秒間に対応している。したがって、残り時間示唆情報５００では、全ての矩形が表示されているので、６０秒後に期待度示唆演出が開始されることが示唆され、残り時間示唆情報５０２では、３０秒後に期待度示唆演出が開始されることが示唆される。
【０１９７】
　残り時間示唆情報により示唆される残り時間は、タイマー演出中に単に実時間の経過とともにカウントダウンされるだけでなく、実時間とは異なる増減又は一時停止されることが可能である。すなわち、タイマー演出において残り時間示唆情報により示唆される期待度示唆演出が開始されるまでの残り時間は、実際の残り時間をもとに決定された演出上の
見かけの残り時間であり、実際の残り時間と一致するとは限らない
残り時間示唆情報が演出表示装置６０に表示される場合は、期待度示唆演出が開始されるときに見かけの残り時間がゼロになるように、タイマー演出の実行中に見かけの残り時間が調整され
【図２６】
（４）「【０２０２】
　本実施例では、見かけの残り時間が長いほど、示唆される期待度が高い期待度示唆演出が実行される可能性が高い。例えば、本図の例では、
示唆される期待度が非常に高い
演出に対応する残り時間示唆情報５００により示唆される見かけの残り時間の方が、示唆される期待度がバトル演出よりは低い
演出に対応する残り時間示唆情報５０２により示唆される見かけの残り時間よりも長い
演出表示装置６０に表示された残り時間示唆情報により示唆される見かけの残り時間が長いほど、示唆される期待度が高い期待度示唆演出が実行される可能性が高い
【０２０３】
　本図の例では、
演出表示装置６０に表示された２つの残り時間示唆情報５００、５０２は、それぞれ、スーパーリーチ演出のバトル演出、予告演出という異なる期待度示唆演出が開始されるまでの残り時間をそれぞれ示唆し
演出において複数の期待度示唆演出のうちの２以上が実行される場合、実行される２以上の期待度示唆演出が開始されるまでの実際の残り時間をもとにそれぞれ決定された見かけの残り時間を示唆する２以上の残り時間示唆情報が演出表示装置６０に表示可能である
【０２０４】
　
別の例では
残り時間示唆情報５００により示唆される６０秒の残り時間と、残り時間示唆情報５０２により示唆される３０秒の残り時間の合計である９０秒が、１つの期待度示唆演出が開始されるまでの残り時間であることが示唆されてもよい
【０２０５】
　
複数の残り時間示唆情報が表示された場合に、それぞれが別個の期待度示唆演出が開始されるまでの見かけの残り時間を示唆する場合と、複数の残り時間示唆情報により示唆される見かけの残り時間の合計が１つの期待度示唆演出が開始されるまでの見かけの残り時間を示唆する場合との双方が設けられ
【０２０６】
　図２７は、演出パターンの例を示す。変動パターン決定手段により選択可能な複数の変動パターンのそれぞれに対応する複数の演出パターンが設けられる。また、
特定の期待度示唆演出を実行する演出パターンについては、期待度示唆演出が開始されるまでの残り時間を示唆するタイマー演出のタイマーパターンが対応づけられ
演出決定手段３０３は
決定された変動パターンに応じて、抽選により演出パターンを決定する
決定した演出パターンが特定の期待度示唆演出を実行する演出パターンである場合は、抽選によりタイマー演出を実行するか否かを決定し、実行すると決定した場合は、更に抽選によりタイマーパターンを決定する
・・・
【０２０８】
　タイマーパターン（１ａ）とタイマーパターン（１ｂ）は、いずれもノーマルリーチ演出（１）のリーチ煽り演出が開始されるまでの残り時間を示唆するタイマー演出のタイマーパターンであり、
実際の残り時間は同一であるが、実際の残り時間よりも短い見かけの残り時間を示唆する残り時間示唆情報が表示された後に見かけの残り時間が延長されて期待度示唆演出が実行されるタイマーパターン
が実行された場合の方が、実際の残り時間と同じ長さの見かけの残り時間を示唆する残り時間示唆情報が表示された後に見かけの残り時間が調整されずに期待度示唆演出が実行されるタイマーパターン
が実行された場合よりも、当否判定の結果が大当りとなる確率が高くなるように、タイマーパターンを決定するために用いられる抽選値の範囲が設定され
　そして、上記記載事項（１）〜（４）を総合すると、甲第１号証には、次の発明（以下、「甲１発明」という。）が記載されていると認められる（ａ〜ｆは、本件発明のＡ〜Ｆに対応させて当審にて付与した。また、丸括弧内に示された段落番号は、引用文献における引用箇所を示す。）。
　
（甲１発明）
「ａ　遊技の基本動作や遊技の進行を制御する主制御装置としてのメイン基板２００と、演出的な動作や処理を制御する副制御装置としてのサブ基板３００とで構成される、ぱちんこ遊技機１００であり（【００４３】）、
ｂ　主に遊技機枠と遊技盤で構成され（【００１１】）、
　遊技盤８０は、演出表示装置６０を含み（【００１３】）、
　当否判定の結果が大当りである期待度が高いことを示唆する期待度示唆演出のうち特定の期待度示唆演出が実行される場合、特定の期待度示唆演出の表示開始タイミングを示唆するタイマー演出を実行可能であり（【０１９２】）、
　演出表示装置６０には、表示予定の特定の期待度示唆演出が開始されるまでの残り時間を示唆する残り時間示唆情報５００、５０２が表示され（【０１９６】、図２６（ａ））、
　残り時間示唆情報が演出表示装置６０に表示される場合は、特定の期待度示唆演出が開始されるときに見かけの残り時間がゼロになるように、タイマー演出の実行中に見かけの残り時間が調整され、見かけの残り時間は、実際の残り時間と一致するとは限らず（【０１９７】）、
ｃ　サブ基板３００は、演出決定手段３０３を備え（【００８７】）、
　特定の期待度示唆演出を実行する演出パターンについては、期待度示唆演出が開始されるまでの残り時間を示唆するタイマー演出のタイマーパターンが対応づけられ、演出決定手段３０３は、抽選により演出パターンを決定し、決定した演出パターンが特定の期待度示唆演出を実行する演出パターンである場合は、抽選によりタイマー演出を実行するか否かを決定し、実行すると決定した場合は、更に抽選によりタイマーパターンを決定し（【０２０６】）、
　実際の残り時間は同一であるが、実際の残り時間よりも短い見かけの残り時間を示唆する残り時間示唆情報が表示された後に見かけの残り時間が延長されて期待度示唆演出が実行されるタイマーパターンが実行された場合の方が、実際の残り時間と同じ長さの見かけの残り時間を示唆する残り時間示唆情報が表示された後に見かけの残り時間が調整されずに期待度示唆演出が実行されるタイマーパターンが実行された場合よりも、当否判定の結果が大当りとなる確率が高くなるように、タイマーパターンを決定するために用いられる抽選値の範囲が設定され（【０２０８】）、
　
ｄ　サブ基板３００は、演出制御手段３０４を備え（【００８７】）、
　演出制御手段３０４は、演出表示装置６０へ装飾図柄６１を含む演出画像を変動表示させ（【００９８】）、
　タイマー演出において、特定の期待度示唆演出の表示が開始されるまでの残り時間が表示され、残り時間がゼロになったタイミングを契機として特定の期待度示唆演出が開始され（【０１９２】）、
　期待度示唆演出は、予告演出、群予告演出、ステップアップ予告演出、スーパーリーチ演出やノーマルリーチ演出などのリーチ演出、リーチ演出の終了直前などに表示されるカットイン演出、リーチ煽り演出中などに実行される背景予告演出、１回の図柄変動において擬似的に複数回の図柄変動が実行されるように見せる擬似連続変動演出など、実行された場合に当否判定の結果が大当りとなって特別遊技が実行される可能性があることが示唆されるような各種の演出であり（【０１９３】）、
　演出決定手段３０３は、演出を決定するための抽選値に基づいて、複数の期待度示唆演出を含む複数の演出の中から実行すべき演出を決定し（【０１９３】）、
　タイマー演出においては、特別遊技移行期待度を示唆する期待度示唆演出の中でも相対的に期待度が高い特定の期待度示唆演出が表示されるタイミングが示唆され（【０１９３】）、
　
ｅ１　演出表示装置６０に表示された２つの残り時間示唆情報５００、５０２は、それぞれ、異なる期待度示唆演出が開始されるまでの残り時間をそれぞれ示唆し、演出において複数の期待度示唆演出のうちの２以上が実行される場合、実行される２以上の期待度示唆演出が開始されるまでの実際の残り時間をもとにそれぞれ決定された見かけの残り時間を示唆する２以上の残り時間示唆情報が演出表示装置６０に表示可能であり（【０２０３】）、
　残り時間示唆情報５００により示唆される残り時間と、残り時間示唆情報５０２により示唆される残り時間の合計が、１つの期待度示唆演出が開始されるまでの残り時間であることが示唆されてもよく（【０２０４】）、
　複数の残り時間示唆情報が表示された場合に、それぞれが別個の期待度示唆演出が開始されるまでの見かけの残り時間を示唆する場合と、複数の残り時間示唆情報により示唆される見かけの残り時間の合計が１つの期待度示唆演出が開始されるまでの見かけの残り時間を示唆する場合との双方が設けられ（【０２０５】）、
　
ｅ２　演出表示装置６０に表示された残り時間示唆情報により示唆される見かけの残り時間が長いほど、示唆される期待度が高い期待度示唆演出が実行される可能性が高く（【０２０２】）、
　示唆される期待度が非常に高い演出に対応する残り時間示唆情報５００により示唆される見かけの残り時間の方が、示唆される期待度が低い演出に対応する残り時間示唆情報５０２により示唆される見かけの残り時間よりも長い（【０２０２】）、
　
ｆ　ぱちんこ遊技機１００（【００１１】）。」
　
５　対比
　本件発明と甲１発明とを、分説に従い対比する（対比の見出しとしての（ａ）〜（ｆ）は、甲１発明の分説構成と対応させた。）。
（ａ）　甲１発明の構成ａの「ぱちんこ遊技機１００」は、本件発明の構成Ａの「遊技を実行可能な遊技機」に相当する。
　してみると、甲１発明の構成ａは本件発明の構成Ａに相当するものである。
　
（ｂ）　甲１発明の構成ｂの「表示予定の期待度示唆演出が開始されるまでの残り時間を示唆する残り時間示唆情報５００、５０２」、及び「演出表示装置６０」はそれぞれ本件発明の「所定表示」、及び「所定表示手段」に相当する。
　また、甲１発明の構成ｂの「見かけの残り時間がゼロになる」ことは、本件発明の構成Ｂの「特定態様に変化する」ことに相当する。
　そして、甲１発明の構成ｂの「演出表示装置６０」（所定表示手段）は「遊技盤８０」に含まれるものであり、当該「遊技盤８０」は「ぱちんこ遊技機１００」（遊技機）を「構成」するものであるから、甲１発明の構成ｂの「演出表示装置６０」（所定表示手段）は「ぱちんこ遊技機１００」（遊技機）が備えるものである。
　してみると、甲１発明の構成ｂは本件発明の構成Ｂに相当するものである。
（ｃ）　甲１発明の構成ｃの「実際の残り時間よりも短い見かけの残り時間を示唆する残り時間示唆情報が表示された後に見かけの残り時間が延長されて期待度示唆演出が実行されるタイマーパターン」及び「実際の残り時間と同じ長さの見かけの残り時間を示唆する残り時間示唆情報が表示された後に見かけの残り時間が調整されずに期待度示唆演出が実行されるタイマーパターン」はいずれも本件発明の構成Ｃの「複数種類の態様」に相当する。
　また、甲１発明の構成ｃの「抽選によりタイマーパターンを決定」すること、及び「演出決定手段３０３」は、本件発明の構成Ｃの「複数種類の態様のうちいずれかを所定表示の態様として決定」すること、及び「態様決定手段」に相当する。
　そして、甲１発明の構成ｃの「演出決定手段３０３」（態様決定手段）は、「サブ基板３００」が「備え」るものであり、当該「サブ基板３００」は、甲１発明の構成ａによれば、「ぱちんこ遊技機１００」を「構成」するものであるから、甲１発明の構成ｃの「演出決定手段３０３」（態様決定手段）は、「ぱちんこ遊技機１００」（遊技機）が「備え」るものである。
　してみると、甲１発明の構成ｃは本件発明の構成Ｃに相当するものである。
（ｄ）　甲１発明の構成ｄの「予告演出、群予告演出、ステップアップ予告演出、スーパーリーチ演出やノーマルリーチ演出などのリーチ演出、リーチ演出の終了直前などに表示されるカットイン演出、リーチ煽り演出中などに実行される背景予告演出、１回の図柄変動において擬似的に複数回の図柄変動が実行されるように見せる擬似連続変動演出など、実行された場合に当否判定の結果が大当りとなって特別遊技が実行される可能性があることが示唆されるような各種の演出」である「期待度示唆演出」は、本件発明の構成Ｄの「複数種類の特定演出」に相当するとともに、甲１発明の構成ｄの「期待度示唆演出の中でも相対的に期待度が高い特定の期待度示唆演出」は本件発明の構成Ｄの「複数種類の特定演出のうちいずれか」に相当する。
　そして、甲１発明の構成ｄの「タイマー演出において、特定の期待度示唆演出の表示が開始されるまでの残り時間が表示され、残り時間がゼロになったタイミングを契機として特定の期待度示唆演出が開始され」ることは、本件発明の構成Ｄの「所定表示が前記特定態様に変化したときに複数種類の特定演出のうちいずれかを実行」することに相当する。
　また、甲１発明の構成ｄの「演出制御手段３０４」は、「演出表示装置６０」の「演出画像を変動表示させ」るのだから、「タイマー演出において、特定の期待度示唆演出の表示が開始されるまでの残り時間が表示され、残り時間がゼロになったタイミングを契機として特定の期待度示唆演出が開始され」ること（所定表示が前記特定態様に変化したときに複数種類の特定演出のうちいずれかを実行すること）を行っているものといえ、甲１発明の構成ｄの「演出制御手段３０４」は本件発明の構成Ｄの「特定演出実行手段」に相当する。
　そして、甲１発明の構成ｄの「演出制御手段３０４」（特定演出実行手段）は、「サブ基板３００」が「備え」るものであり、当該「サブ基板３００」は、甲１発明の構成ａによれば、「ぱちんこ遊技機１００」を「構成」するものであるから、甲１発明の構成ｄの「演出制御手段３０４」（特定演出実行手段）は、「ぱちんこ遊技機１００」（遊技機）が「備え」るものである。
　してみると、甲１発明の構成ｄは本件発明の構成Ｄに相当するものである。
（ｅ１）　甲１発明の構成ｅ１の「演出表示装置６０に表示された」「残り時間示唆情報５００」及び「演出表示装置６０に表示された」「残り時間示唆情報５０２」は、それぞれ本件発明の構成Ｅ１の「一の所定表示の態様」及び「該一の所定表示とは異なる他の所定表示の態様」に相当する。
　そして、甲１発明の構成ｃによれば、「演出決定手段３０３」（態様決定手段）は、「抽選によりタイマー演出を実行するか否かを決定し、実行すると決定した場合は、更に抽選によりタイマーパターンを決定」するのだから、甲１発明の構成ｅ１の「演出表示装置６０に表示された」「残り時間示唆情報５００」（一の所定表示の態様）及び「演出表示装置６０に表示された」「残り時間示唆情報５０２」（他の所定表示の態様）は、「演出決定手段３０３」（態様決定手段）が決定するものといえる。
　また、甲１発明の構成ｅ１の「残り時間示唆情報５００により示唆される残り時間と、残り時間示唆情報５０２により示唆される残り時間の合計が、１つの期待度示唆演出が開始されるまでの残り時間であること」が「設けられ」ることは、本件発明の構成Ｅ１の「一の所定表示の態様を決定した場合、該決定結果にもとづいて該一の所定表示とは異なる他の所定表示の態様を決定可能であ」ることと、「一の所定表示の態様」と「該一の所定表示とは異なる他の所定表示の態様を決定」する点で共通する。
　してみると、甲１発明の構成ｅ１は本件発明の構成Ｅ、Ｅ１と
「前記態様決定手段は、
　一の所定表示の態様」と「該一の所定表示とは異なる他の所定表示の態様を決定」する点で共通する。
　
（ｅ２）　甲１発明の構成ｅ２の「残り時間示唆情報により示唆される」「残り時間」は、本件発明の「所定表示が表示されてから前記特定態様に変化するまでの期間」に相当するものであるが、甲１発明の構成ｂによれば、「見かけの残り時間は、実際の残り時間と一致するとは限ら」ないのだから、甲１発明の構成ｅ２の「残り時間示唆情報により示唆される見かけの残り時間」は、「期間」ではあるものの、本件発明の構成Ｅ２の「所定表示が表示されてから前記特定態様に変化するまでの期間」に相当するものではない。
　また、甲１発明の構成ｅ２の「演出表示装置６０に表示された残り時間示唆情報により示唆される見かけの残り時間が長いほど、示唆される期待度が高い期待度示唆演出が実行される可能性が高」いことは、「期待度示唆演出」の期待度が高いほど、「演出表示装置６０に表示された残り時間示唆情報により示唆される見かけの残り時間」（所定表示が表示されてから前記特定態様に変化するまでの期間）が長くなることであり、当該事項は本件発明の構成Ｅ２の「期間を所定表示の態様として決定可能であ」ることに相当する。
　ここで、甲１発明の構成ｅ２は、「残り時間示唆情報５００」が「期待度が非常に高い演出に対応」し、「残り時間示唆情報５０２」が「期待度が低い演出に対応」するとしたものであり、
　同構成ｅ２の「示唆される期待度が非常に高い演出に対応する残り時間示唆情報５００により示唆される見かけの残り時間の方が、示唆される期待度が低い演出に対応する残り時間示唆情報５０２により示唆される見かけの残り時間よりも長い」との構成が記載された甲第１号証の【０２０２】、及び同構成ｅ１の、「残り時間示唆情報５００により示唆される残り時間と、残り時間示唆情報５０２により示唆される残り時間の合計が、１つの期待度示唆演出が開始されるまでの残り時間であることが示唆されてもよく（【０２０４】）、
　複数の残り時間示唆情報が表示された場合に、それぞれが別個の期待度示唆演出が開始されるまでの見かけの残り時間を示唆する場合と、複数の残り時間示唆情報により示唆される見かけの残り時間の合計が１つの期待度示唆演出が開始されるまでの見かけの残り時間を示唆する場合との双方が設けられ（【０２０５】）、」との構成が記載された甲第１号証の【０２０４】及び【０２０５】を参照すると、【０２０２】には、
「
本実施例では
と記載され、【０２０４】及び【０２０５】には、
「【０２０４】
　
別の例では
【０２０５】
　複数の残り時間示唆情報が表示された場合に、それぞれが別個の期待度示唆演出が開始されるまでの見かけの残り時間を示唆する場合と、複数の残り時間示唆情報により示唆される見かけの残り時間の合計が１つの期待度示唆演出が開始されるまでの見かけの残り時間を示唆する場合との双方が設けられてもよい。」
と記載されている。
　そうすると、甲１発明の構成ｅ２の「示唆される期待度が非常に高い演出に対応する残り時間示唆情報５００により示唆される見かけの残り時間の方が、示唆される期待度が低い演出に対応する残り時間示唆情報５０２により示唆される見かけの残り時間よりも長い」との構成は、甲１発明の構成ｅ１の「演出表示装置６０に表示された２つの残り時間示唆情報５００、５０２は、それぞれ、異なる期待度示唆演出が開始されるまでの残り時間をそれぞれ示唆」するケースに対応する事項であって、「複数の残り時間示唆情報が表示された場合に、
それぞれが別個の期待度示唆演出が開始されるまでの見かけの残り時間を示唆する場合」に対応する事項である
　一方、甲１発明の構成ｅ１における「複数の残り時間示唆情報が表示された場合」におけるもうひとつの「場合」である「複数の残り時間示唆情報により示唆される見かけの残り時間の合計が１つの期待度示唆演出が開始されるまでの見かけの残り時間を示唆する場合」である、「複数の残り時間示唆情報が演出表示装置６０に表示された場合に、表示されている複数の残り時間示唆情報のそれぞれにより示唆される見かけの残り時間の合計が期待度示唆演出が開始されるまでの見かけの残り時間を示唆し、残り時間示唆情報５００により示唆される残り時間と、残り時間示唆情報５０２により示唆される残り時間の合計が、１つの期待度示唆演出が開始されるまでの残り時間であることが示唆され」、「複数の残り時間示唆情報により示唆される見かけの残り時間の合計が１つの期待度示唆演出が開始されるまでの見かけの残り時間を示唆する場合」における、「残り時間示唆情報５００により示唆される見かけの残り時間」（一の所定表示の態様）及び「残り時間示唆情報５０２により示唆される見かけの残り時間」（他の所定表示の態様）の長短の関係は、甲１発明の構成ｅ２は特定していない。
　してみると、甲１発明全体では、「残り時間示唆情報５００により示唆される見かけの残り時間」（一の所定表示の態様）及び「残り時間示唆情報５０２により示唆される見かけの残り時間」（他の所定表示の態様）の長短の関係は不明である。
　してみると、甲１発明の構成ｅ２は本件発明の構成Ｅ２と、「期間を所定表示の態様として決定可能であ」る点で共通する。
　
（ｆ）　甲１発明の構成ｆの「ぱちんこ遊技機１００」は、本件発明の構成Ｆの「遊技機」に相当する。
　してみると、甲１発明の構成ｆは本件発明の構成Ｆに相当するものである。
　そうすると、本件発明と甲１発明の一致点及び相違点は以下のとおりである。
（一致点）
Ａ　遊技を実行可能な遊技機であって、
Ｂ　特定態様に変化する所定表示を表示可能な所定表示手段と、
Ｃ　複数種類の態様のうちいずれかを所定表示の態様として決定可能な態様決定手段と、
Ｄ　所定表示が前記特定態様に変化したときに複数種類の特定演出のうちいずれかを実行可能な特定演出実行手段と、を備え、
Ｅ　前記態様決定手段は、
Ｅ１′　一の所定表示の態様を決定した場合、該一の所定表示とは異なる他の所定表示の態様を決定可能であり、
Ｅ２′　期間を所定表示の態様として決定可能である
Ｆ　遊技機。」
（相違点１）（構成Ｅ１）
　本件発明は、「一の所定表示の態様を決定した場合、該決定結果にもとづいて該一の所定表示とは異なる他の所定表示の態様を決定可能であ」るのに対し、甲１発明は、単に「残り時間示唆情報５００により示唆される残り時間」（一の所定表示の態様）と「残り時間示唆情報５０２により示唆される残り時間」（該一の所定表示とは異なる他の所定表示の態様）を決定することが特定される点。
（相違点２）（構成Ｅ２）
　本件発明は、「所定表示が表示されてから前記特定態様に変化するまでの期間を所定表示の態様として決定可能であり、一の所定表示の態様よりも他の所定表示の態様の方が短い期間を決定しやすい」のに対し、甲１発明では、「所定表示が表示されてから前記特定態様に変化するまでの期間を所定表示の態様として決定可能」かどうか不明であるとともに、「残り時間示唆情報５００により示唆される見かけの残り時間」（一の所定表示の態様）よりも「残り時間示唆情報５０２により示唆される見かけの残り時間」（他の所定表示の態様）が短い時間を決定しやすいかどうか不明である点。
６　理由１及び２についての当審の判断
　上記相違点について検討する。
（相違点１について）
　甲１発明の構成ｅ１の「残り時間示唆情報５００により示唆される残り時間と、残り時間示唆情報５０２により示唆される残り時間の合計が、１つの期待度示唆演出が開始されるまでの残り時間であること」は、「残り時間示唆情報５００により示唆される残り時間」（一の所定表示の態様）と「残り時間示唆情報５０２により示唆される残り時間」（他の所定表示の態様）の合計が、「１つの期待度示唆演出が開始されるまでの残り時間であ」るからといって「残り時間示唆情報５００により示唆される残り時間」（一の所定表示の態様）を決定した場合、該決定結果にもとづいて「演出決定手段３０３」（態様決定手段）が「残り時間示唆情報５０２により示唆される残り時間」（他の所定表示の態様）を決定するという手順で「残り時間示唆情報５０２により示唆される残り時間」（他の所定表示の態様）を決定可能とすることが容易想到であるとする証拠はない。また、上記相違点１に係る構成が、本件特許の出願時において周知の構成であったとする事情もない。
　そして、本件発明は、上記構成Ｅ１を採用することによって、「演出効果を高めることができる」（明細書【０３６２】、【０３６７】等を参照。）との作用効果を奏するものである。
　なお、特許異議申立人は、相違点１に関連して以下のとおり主張している。
「甲第１号証の段落０２０４には、「・・・すなわち、残り時間示唆情報５００により示唆される６０秒の残り時間と、残り時間示唆情報５０２により示唆される３０秒の残り時間の合計である９０秒が、１つの期待度示唆演出が開始されるまでの残り時間であることが示唆されてもよい。」と記載されている。この記載によれば、甲１発明は、１の期待度示唆演出が開始されるまでの残り時間が９０秒であるときに、「
残り時間示唆情報５００により示唆される６０秒に決定した場合、該決定結果にもとづいて
決定可能である」ことにほかならない
　しかし、甲第１号証の【０２０４】の記載から、「演出決定手段３０３」（態様決定手段）が、「残り時間示唆情報５００により示唆される６０秒の残り時間」と「合計である９０秒」を決定し、該決定結果に基づいて、「演出決定手段３０３」（態様決定手段）が、「残り時間示唆情報５０２」の表示を、９０（秒）−６０（秒）＝３０（秒）との手法での決定（該決定結果にもとづいて該一の所定表示とは異なる他の所定表示の態様の決定）を行うことが記載されているとは認められず、また記載されているに等しい事項と認める事情もないから、特許異議申立人のかかる主張には理由がない。
　
（相違点２について）
　甲１発明の構成ｂの「見かけの残り時間は、実際の残り時間と一致するとは
限ら」ない
一致する」ことは可能としつつ
限ら」ない
決定可能
　一方、甲１発明の構成ｅ２において、「残り時間示唆情報５００により示唆される見かけの残り時間」（一の所定表示の態様）よりも「残り時間示唆情報５０２により示唆される見かけの残り時間」（他の所定表示の態様）が短い時間を決定しやすいとすることが容易想到であるとする証拠はなく、また甲１発明の構成ｅ２において、「残り時間示唆情報５００により示唆される見かけの残り時間」（一の所定表示の態様）よりも「残り時間示唆情報５０２により示唆される見かけの残り時間」（他の所定表示の態様）が短い時間を決定しやすいとする構成が、本件特許の出願時において周知の構成であったとする事情もない。
　してみれば、本件発明は甲１発明ではないから、本件特許は特許法第２９条第１項第３号の規定に違反してされたものではない。また、本件発明は甲第１号証に記載の発明から当業者が容易に発明をすることができたものではない。
７　理由３についての当審の判断
　理由３の概要は、本件発明は
「所定表示が表示されてから前記特定態様に変化するまでの期間を所定表示の態様として決定可能であり、一の所定表示の態様よりも他の所定表示の態様の方が短い期間を決定しやすい」（本件発明の構成Ｅ２）という構成を備えているが、「決定しやすい」という表現は一般に極めて曖昧な表現であり、発明の構成を特定する表現としては不適切である。「決定しやすい」は「決定する」ことが「やすい」ということであるが、「やすい」は辞書などで確認すると、「１　簡単で大した手間はかからない。安易だ。やさしい。２　動詞の連用形の下に付く。ア　とかくそうなる傾向がある、そうなりがちだ、などの意を表す。イ　・・・するのが容易だ、・・・するのが簡単だ、などの意を表す。」とある。この場合、「決定する」が動詞であることから、「やすい」は、「とかくそうなる傾向がある、そうなりがちだ、などの意」となる。そうすると「決定しやすい」は一般に「とかく決定する傾向にある」、「決定しがちだ」ということである。
　しかしながら、発明特定事項は発明の範囲を決める上で重要な事項であるから、「とかく・・・傾向にある」とか「そうなりがち」という曖昧な表現は排除されるべきである。
　よって、「決定しやすい」を含む本件特許発明の構成Ｅ２、Ｆは不明確であると言わざるを得ない。したがって、本件特許発明は、発明を特定する事項に不明確な事項を含んでいるため、本件特許発明は、明確性要件を満たしていない、というものである（特許異議申立書２０〜２１ページ参照。）。
　
　そこで、特許異議申立人の上記主張の対象となった本件特許の特許請求の範囲の請求項１の記載を確認すると、
「前記態様決定手段は、」
「所定表示が表示されてから前記特定態様に変化するまでの期間を所定表示の態様として決定可能であり、一の所定表示の態様よりも他の所定表示の態様の方が短い期間を決定しやすい」
と記載されている。
　上記記載中の「一の所定表示の態様よりも他の所定表示の態様の方が短い期間を決定しやすい」との記載は、「一の所定表示の態様」と「他の所定表示の態様」を二者を比較して、両者のうち「他の所定表示の態様の方」が「短い期間を決定しやすい」とするものであって、上記記載中の「短い時間を決定しやすい」が絶対的な決定の割合や程度を示したものではなく、比較対象を前記二者に特定したうえで、そのうち「短い期間を決定しやすい」のが「他の所定表示の態様の方」であるとしたものであることが明確であるから、上記記載は明確である。
　さらに、「短い時間を決定」するのが、構成Ｅの「前記態様決定手段」であることもまた明確である。
　してみると、本件特許の特許請求の範囲の請求項１の
「前記態様決定手段は、」
「所定表示が表示されてから前記特定態様に変化するまでの期間を所定表示の態様として決定可能であり、一の所定表示の態様よりも他の所定表示の態様の方が短い期間を決定しやすい」との記載に不明確な点は存在せず、本件発明は明確であって、特許請求の範囲の記載は特許法３６条６項第２号の規定に適合するものである。
　
８　むすび
　以上のことから、特許異議申立ての理由及び証拠方法によっては、本件の請求項１に係る特許を取り消すことはできない。
　また、他に本件の請求項１に係る特許を取り消すべき理由を発見しない。
　
　よって、結論のとおり決定する。
【異議決定日】
令和２年９月２日（２０２０．９．２）